(57)【要約】【課題】従来は、シャッター音の音量が固定であるため、周囲の音量が大きい場所においてはシャッター音が聞き取り難い、又は聞こえないため、シャッター音が盗撮等に対する防犯機能として十分機能し得ない。【解決手段】シャッターがオンになると、外部音を収音してその音量を測定する（ステップＳ１、Ｓ２、Ｓ３）。制御部は、測定した外部音の音量よりも大なる音量のシャッター音を発生して、鳴動させる（ステップＳ４、Ｓ５）。これにより、外部音の音量が大きい場所においても、シャッター音を周囲の者に判別させることができるため、従来では困難であった外部音の音量が大きい場所での盗撮を防止することができる。【選択図】            図２
2004163563.tif 000002
【特許請求の範囲】
【請求項１】
カメラを搭載した撮影機能付き携帯型無線端末において、
前記携帯型無線端末の外部音を収音する収音手段と、
前記カメラのシャッターをオンとした時に、前記収音手段からの外部音の音量を測定する外部音測定手段と、
前記外部音測定手段により測定された外部音の音量よりも大なる音量のシャッター音信号を発生するシャッター音発生手段と、
前記シャッター音発生手段により発生されたシャッター音信号を入力として受け、そのシャッター音を発音する発音手段と
を有することを特徴とする撮影機能付き携帯型無線端末。
【請求項２】
前記収音手段は、送話音声を音声信号に変換するマイクであることを特徴とする請求項１記載の撮影機能付き携帯型無線端末。
【請求項３】
前記収音手段は、外部音だけを収音する専用の集音マイクであることを特徴とする請求項１記載の撮影機能付き携帯型無線端末。
【請求項４】
前記シャッター音発生手段は、互いに音量の異なる複数のシャッター音のデータを記憶する記憶部と、前記外部音測定手段により測定された外部音の音量よりも大なる音量の一のシャッター音のデータを、前記シャッター音信号として前記記憶部から選択して読み出す読み出し手段とよりなることを特徴とする請求項１記載の撮影機能付き携帯型無線端末。
【請求項５】
カメラを搭載した撮影機能付き携帯型無線端末のシャッター音発音方法において、
前記カメラのシャッターのオンを検出する第１のステップと、
前記カメラのシャッターのオンが検出された時に、前記携帯型無線端末の外部音を収音する第２のステップと、
収音された前記外部音の音量を測定する第３のステップと、
前記外部音の音量よりも大なるシャッター音を発生する第４のステップと、
前記シャッター音を発音する第５のステップと
を含むことを特徴とするシャッター音発音方法。
【請求項６】
前記第２のステップは、前記携帯型無線端末に本来備えられている送話音声を音声信号に変換するマイクを用いて、前記外部音を収音することを特徴とする請求項５記載のシャッター音発音方法。
【発明の詳細な説明】
【０００１】
【発明の属する技術分野】
本発明は撮影機能付き携帯型無線端末及びシャッター音発音方法に係り、特に撮影機能を備えた携帯電話機等の撮影機能付き携帯型無線端末及びシャッター音発音方法に関する。
【０００２】
【従来の技術】
近年、撮影機能付き携帯電話機は、携帯電話機が通常有する既存の機能に加えて撮影機能を有するために、小型カメラとしても使用でき便利であることから、広く普及するようになった。しかし、それに伴い、撮影機能付き携帯電話機は、「容易に入手できる小型カメラ」として盗撮目的で使用することによる犯罪も増加している。
【０００３】
一方、従来の撮影機能付き携帯型無線端末には、シャッターを切った場合、擬似的にシャッター音を発生させる機能を備えたものも知られている（特許文献１、２参照）。かかる撮影機能付き携帯型無線端末によれば、シャッター音により写真撮影していることが周囲の者に分かるため、盗撮をある程度防止することが可能である。
【０００４】
【特許文献１】
実開平３−１０１０８２号公報（第１頁、第１図）
【特許文献２】
特開平１１−１６８６４６号公報（第３−４頁、図１、図３）
【０００５】
【発明が解決しようとする課題】
しかしながら、上記の特許文献１、２記載の従来の撮影機能付き携帯型無線端末では、シャッター音の音量が固定であるため、撮影機能付き携帯型無線端末の周囲の音量が大きい場所、例えば、満員電車内、野球場、コンサート等のイベント会場などの場所においてはシャッター音が聞き取り難い、又は聞こえない、というケースが発生する。このため、上記の従来の撮影機能付き携帯型無線端末では、いずれもイベント会場などでは、まだ盗撮等の犯罪が多数発生し、シャッター音を発生させることによる防犯機能として十分機能しないという問題がある。
【０００６】
また、上記の特許文献２記載の携帯型無線端末では、シャッター音を出力するか否かの選択スイッチを備えているため、シャッター音を出力しないように選択スイッチを操作したときには、盗撮防止機能が全く得られない。
【０００７】
本発明は以上の点に鑑みなされたもので、シャッター音の大きさを外部音の音量に対応させて自動的に可変させることにより、盗撮等の犯罪を防止し得る撮影機能付き携帯型無線端末及びシャッター音発音方法を提供することを目的とする。
【０００８】
また、本発明の他の目的は、ユーザによるシャッター音の音量調整を不可能にすることにより、盗撮等の犯罪を確実に防止し得る撮影機能付き携帯型無線端末及びシャッター音発音方法を提供することにある。
【０００９】
【課題を解決するための手段】
上記の目的を達成するため、第１の発明の撮影機能付き携帯型無線端末は、携帯型無線端末の外部音を収音する収音手段と、カメラのシャッターをオンとした時に、収音手段からの外部音の音量を測定する外部音測定手段と、外部音測定手段により測定された外部音の音量よりも大なる音量のシャッター音信号を発生するシャッター音発生手段と、シャッター音発生手段により発生されたシャッター音信号を入力として受け、そのシャッター音を発音する発音手段とを有する構成としたものである。
【００１０】
この発明では、カメラのシャッターを切った時（オンとした時）には、その時点での外部音の音量を測定して、外部音の音量よりも大なる音量のシャッター音を自動的に発生して発音することができる。
【００１１】
ここで、上記の収音手段は、送話音声を音声信号に変換するマイクであってもよいし、外部音だけを収音する専用の集音マイクであってもよい。また、上記のシャッター音発生手段は、互いに音量の異なる複数のシャッター音のデータを記憶する記憶部と、外部音測定手段により測定された外部音の音量よりも大なる音量の一のシャッター音のデータを、シャッター音信号として記憶部から選択して読み出す読み出し手段とよりなる構成とすることもできる。
【００１２】
また、上記の目的を達成するため、第５の発明のカメラを搭載した撮影機能付き携帯型無線端末のシャッター音発音方法は、カメラのシャッターのオンを検出する第１のステップと、カメラのシャッターのオンが検出された時に、携帯型無線端末の外部音を収音する第２のステップと、収音された外部音の音量を測定する第３のステップと、外部音の音量よりも大なるシャッター音を発生する第４のステップと、シャッター音を発音する第５のステップとを含むことを特徴とする。
【００１３】
この発明では、カメラのシャッターを切った時（オンとした時）には、その時点での外部音の音量を測定して、外部音の音量よりも大なる音量のシャッター音を自動的に発生して発音することができる。
【００１４】
ここで、上記の第２のステップは、携帯型無線端末に本来備えられている送話音声を音声信号に変換するマイクを用いて、外部音を収音することを特徴とする。この発明では、既存のマイクを外部音の収音に利用することができる。
【００１５】
【発明の実施の形態】
次に、本発明の実施の形態について図面と共に説明する。図１は本発明になる撮影機能付き携帯型無線端末の一実施の形態のブロック図を示す。同図において、送受信アンテナ１は無線部２に接続されており、受信した受信波を無線部２に供給して復調などの処理を行わせ、無線部２により変調等されて得られた送信信号は例えば基地局へ無線送信する。制御部３はこの携帯型無線端末の動作を統括的に制御する制御回路で、メモリ４に所要のデータ等の書き込みや読み出しを行い、液晶等を用いた表示パネルからなる表示部５に表示信号を供給して表示させ、また複数のキーから構成された操作部６から各種の操作信号を入力として受け、その操作信号に応じて各部の動作を制御する。また、制御部３は、音声を再生する再生機能も有し、再生した音声信号をサウンダ７へ出力して発音させる。サウンダ７は受話音声を発音Ｄ、また、後述するシャッター音も発音する。
【００１６】
また、制御部３はタイマ８を起動して設定時間経過後タイマ信号を入力として受ける。カメラ９は任意の被写体を撮影し、その撮影信号を制御部３へ供給する。なお、カメラ９にはシャッターが設けられている。シャッターのオンにより被写体の撮影信号が制御部３へ入力される。このカメラ９の構成自体は周知であるのでその詳細な説明は省略する。
【００１７】
マイク１０は送話音声や周囲の外部音を音声信号に変換して制御部３へ出力する。送話音声の音声信号は、制御部３を経由して無線部２により送信のための処理が行われて、送受信アンテナ１を介して無線送信される。上記の構成の携帯型無線端末は、携帯型電話機と同様の通話機能等を有するが、その機能については本発明の要旨ではなく、また、従来と同じであり周知であるので、その詳細な説明は省略する。
【００１８】
制御部３は、マイク１０により収音された外部音の音量を基に、シャッター音の音量を変更してサウンダ７によりシャッター音を発音させる。メモリ４はメモリダイヤル及びファンクション機能を設定するための設定画面等のデータや、鳴動パターンのデータを記憶しているメモリである。また、制御部３は操作部６の操作に応じてメモリ４から前述のデータ等を読み出して表示部５上に表示したり、メモリ４から操作部６により指定された鳴動パターンのデータを読み出してサウンダ７により発音させる。
【００１９】
次に、本実施の形態の動作について、図２のフローチャートを併せ参照して説明する。まず、ユーザが任意の被写体を撮影するために、カメラ９のシャッターをオンにすると（ステップＳ１）、制御部３はそのシャッターのオン信号をトリガとしてマイク１０からの音声信号を入力として取り込み（ステップＳ２）、その音量を公知の方法により算出する（ステップＳ３）。ここで、上記のマイク１０からの音声信号は、この携帯型無線端末のシャッターオン時点における周囲の音、すなわち外部音であり、ステップＳ３では外部音の音量の測定が行われることとなる。
【００２０】
続いて、制御部３はステップＳ３で測定した外部音の音量よりも大なるシャッター音量を算出し（ステップＳ４）、そのシャッター音量のシャッター用音声信号をサウンダ７に供給してシャッター音を鳴動させる（ステップＳ５）。これにより、シャッター音が外部音よりも大なる音量で発音されるため、イベント会場等の外部音の音量が通常のシャッター音に比較して大きな場所においても、カメラ９のシャッターが切られたことが、シャッター音により周囲の者に判別されるため、盗撮等の犯罪を未然に防止することができる。
【００２１】
また、本実施の形態では、シャッター音量は外部音の音量に応じて自動的に決定され、ユーザがシャッター音を最小にするなどの音量調整を自由に設定できないため、シャッター音により、盗撮等の犯罪を確実に防止することができる。
【００２２】
なお、本発明は上記の実施の形態に限定されるものではなく、例えば、外部音の入力手段としては、マイク１０の替りに携帯型無線端末の内部又は外付けで設けた専用の集音マイクを使用するようにしてもよい。また、カメラ９は携帯型無線端末に内蔵しても、外部に外付けで設けてもどちらでもよい。
【００２３】
また、互いに異なるシャッター音量のデータを複数予めメモリ４に格納しておき、外部音の音量に応じて、その外部音の音量よりも大きな音量の一のシャッター音量データを制御部３が選択して読み出してサウンダ７に供給するようにしてもよい。
【００２４】
【発明の効果】
以上説明したように、本発明によれば、カメラのシャッターを切った時（オンとした時）の外部音の音量を測定して、外部音の音量よりも大なる音量のシャッター音を自動的に発生して発音することにより、外部音の音量が大きい満員電車内、野球場やコンサート等のイベント会場などにおいても、シャッター音を周囲の者に判別させることができるため、従来では困難であったイベント会場などでの盗撮も防止することができる。
【００２５】
また、本発明によれば、上記の外部音の音量よりも大なる音量のシャッター音の発音は自動的に行われ、シャッター音の音量調整がユーザにより調整できないので、シャッター音による盗撮を確実に防止することができる。
【００２６】
更に、本発明によれば、携帯型無線端末に本来備えられている送話音声を音声信号に変換するマイクを用いて外部音を収音するようにした場合は、シャッター音の発音のための構成を安価にすることができる。
【図面の簡単な説明】
【図１】本発明の一実施の形態のブロック図である。
【図２】図１の動作説明用フローチャートである。
【符号の説明】
２  無線部
３  制御部
４  メモリ
６  操作部
７  サウンダ
９  カメラ
１０  マイク
【図１】
2004163563.tif 000003
【図２】
2004163563.tif 000004